(57)【要約】  可動部の挿脱の操作性がより向上したレンズ鏡筒を及びカメラを提供する。  レンズ鏡筒２は、カメラボディ３に装着可能なレンズ鏡筒２であって、光軸ＯＡに沿って配置された撮影光学系と、前記光軸ＯＡ上の装着位置と、前記光軸ＯＡから退避した退避位置との間で移動可能な可動部３００と、を備え前記可動部３００の移動軌跡は凸形状である。
2019131186.tif 000002
【特許請求の範囲】
【請求項１】
カメラボディに装着可能なレンズ鏡筒であって、
光軸に沿って配置された撮影光学系と、
前記光軸上の装着位置と、前記光軸から退避した退避位置との間で移動可能な可動部と、を備え、
前記可動部の移動軌跡は凸形状である、レンズ鏡筒。
【請求項２】
前記レンズ鏡筒の外側に少なくとも一部が配置されてユーザにより前記可動部の移動を操作する操作部を備え、
前記可動部の移動軌跡は、前記可動部を前記退避位置から前記装着位置に移動させる際の前記操作部の移動方向とは反対の方向に向けて凸形状である請求項１に記載のレンズ鏡筒。
【請求項３】
前記可動部は、前記装着位置と前記退避位置との間で回動し、
前記可動部の移動軌跡は、前記回動の中心から離れる方向に向けて凸形状である、
請求項１または２に記載のレンズ鏡筒。
【請求項４】
前記レンズ鏡筒が前記カメラボディに装着され、かつ、前記カメラボディが横位置の状態で、前記可動部の移動軌跡は上側に向かって凸形状である、
請求項１から３のいずれか１項に記載のレンズ鏡筒。
【請求項５】
カメラボディに装着可能なレンズ鏡筒であって、
光軸に沿って配置された撮影光学系と、
前記光軸上の装着位置と、前記光軸から退避した退避位置との間で移動可能な可動部と、を備え、
前記レンズ鏡筒が前記カメラボディに装着され、かつ、前記カメラボディが横位置又は縦位置の状態で、前記可動部が前記退避位置から前記装着位置まで移動する際に、前記可動部の中心は下側に移動する、
レンズ鏡筒。
【請求項６】
前記横位置とは、
前記カメラボディが備える矩形状の撮像素子の長辺が水平方向に延びるとき、
前記カメラボディが備える持ち手部が前記撮像素子の右横方向にあるとき、
前記カメラボディが備えるファインダが前記撮像素子の上方向にあるとき、又は
前記カメラボディが備える三脚穴が前記撮像素子の下方向にあるとき、
の少なくとも一つを満たしたときである、
請求項４または５のいずれか１項に記載のレンズ鏡筒。
【請求項７】
前記可動部の中心は、前記可動部が前記装着位置にある際に、前記光軸上に位置する、
請求項１から６のいずれか１項に記載のレンズ鏡筒。
【請求項８】
前記可動部を付勢する弾性部材を備え、
前記弾性部材は、
前記可動部が前記装着位置と前記退避位置との間を移動する際、
前記可動部が、前記装着位置と前記退避位置との間の所定位置よりも前記装着位置側になると、前記可動部を前記装着位置に向けて付勢し、
前記可動部が前記所定位置よりも前記退避位置側になると、前記可動部を前記退避位置に向けて付勢する、
請求項１から７のいずれか１項に記載のレンズ鏡筒。
【請求項９】
前記可動部の、前記装着位置を超えた前記退避位置と逆側への移動を制限する第１制限部と、
前記可動部の、前記退避位置を超えた前記装着位置と逆側への移動を制限する第２制限部と、
の少なくとも一方を備える請求項１から８のいずれか１項に記載のレンズ鏡筒。
【請求項１０】
前記可動部が前記装着位置又は前記退避位置に位置する際、前記第１制限部又は前記第２制限部の少なくとも一方に当接する円筒部を備え、
前記第１制限部、前記第２制限部、又は前記円筒部のいずれか一つは弾性部材又は柔軟性部材であり、
前記円筒部は、前記可動部に対して回転可能に固定され、外周面が前記第１制限部又は前記第２制限部に当接する、
請求項９に記載のレンズ鏡筒。
【請求項１１】
前記可動部の移動方向が上側から下側に切り替わる際に信号を発生する信号発生部を備える、
請求項１から１０のいずれか１項に記載のレンズ鏡筒。
【請求項１２】
カメラボディに装着可能なレンズ鏡筒であって、
光軸に沿って配置された撮影光学系と、
前記光軸上の装着位置と、前記光軸から退避した退避位置との間で移動可能な可動部と、
前記可動部の、前記装着位置と前記退避位置との間の移動中における、前記装着位置又は前記退避位置への到達前に、前記可動部の装着状態の変化を検知する信号発生部と、
を備えるレンズ鏡筒。
【請求項１３】
前記可動部は、テレコンバータレンズを備える、
請求項１から１２のいずれか１項に記載のレンズ鏡筒。
【請求項１４】
請求項１から１３のいずれか１項に記載のレンズ鏡筒と前記カメラボディとを備えるカメラ。
【請求項１５】
前記レンズ鏡筒は、前記カメラボディに対して着脱可能である、
請求項１から１３のいずれか１項に記載のレンズ鏡筒。
【発明の詳細な説明】
【技術分野】
【０００１】
本発明は、レンズ鏡筒及びカメラに関するものである。
【背景技術】
【０００２】
従来、レンズ鏡筒のレンズ群のうちの一部が、可動部として光軸に対して挿脱可能なレンズ鏡筒がある（例えば特許文献１参照）。
本発明は、所定位置から挿脱可能な可動部を備えたレンズ鏡筒において、可動部の操作性がより向上したレンズ鏡筒及びカメラを提供する。
【先行技術文献】
【特許文献】
【０００３】
【特許文献１】特開２０１４−９８８１２号公報
【発明の概要】
【０００４】
第１の態様のレンズ鏡筒は、カメラボディに装着可能なレンズ鏡筒であって、光軸に沿って配置された撮影光学系と、前記光軸上の装着位置と、前記光軸から退避した退避位置との間で移動可能な可動部と、を備え、前記可動部の移動軌跡は凸形状である構成とした。
【０００５】
また、第２の態様のレンズ鏡筒は、カメラボディに装着可能なレンズ鏡筒であって、光軸に沿って配置された撮影光学系と、前記光軸上の装着位置と、前記光軸から退避した退避位置との間で移動可能な可動部と、を備え、前記レンズ鏡筒が前記カメラボディに装着され、かつ、前記カメラボディが横位置又は縦位置の状態で、前記可動部が前記退避位置から前記装着位置まで移動する際に、前記可動部の中心は下側に移動する、構成とした。
【０００６】
さらに、第３の態様のレンズ鏡筒は、カメラボディに装着可能なレンズ鏡筒であって、光軸に沿って配置された撮影光学系と、前記光軸上の装着位置と、前記光軸から退避した退避位置との間で移動可能な可動部と、前記可動部の、前記装着位置と前記退避位置との間の移動中における、前記装着位置又は前記退避位置への到達前に、前記可動部の装着状態の変化を検知する信号発生部と、を備える構成とした。
【０００７】
また、第４の態様のカメラは、上記レンズ鏡筒とカメラボディとを備える構成とした。
【図面の簡単な説明】
【０００８】
【図１】実施形態のレンズ鏡筒２と、そのレンズ鏡筒２が装着されたカメラボディ３とを備えるカメラ１の斜視図である。
【図２】レンズ鏡筒２の内部構造を説明する図で、（ａ）は可動部３００が装着位置、（ｂ）は可動部３００が退避位置にある状態を示す。
【図３】図２と異なる角度から見た図であり、（ａ）は可動部３００が装着位置、（ｂ）は可動部３００が退避位置にある状態を示す。
【図４】図４（ａ），（ｂ），（ｃ）は、可動部３００の装着位置と退避位置との間の移動状態を説明する図である。
【図５】ギア部５０を示す図である。
【図６】可動部３００の装着状態を検知するエンコーダを説明する図である。
【図７】カメラ１が縦位置の場合に、可動部３００に加わる重力の方向を示す。
【図８】カメラ１の操作状態を示す図である。
【発明を実施するための形態】
【０００９】
以下、図面等を参照して、本発明の実施形態について説明する。図１は、実施形態のレンズ鏡筒２と、そのレンズ鏡筒２が装着されたカメラボディ３とを備えるカメラ１の斜視図である。なお、本実施形態ではレンズ鏡筒２がカメラボディ３に対して着脱可能であるが、カメラ１は、レンズ鏡筒２とカメラボディ３とが一体であってもよい。
【００１０】
なお、以下の説明において、カメラ１が横位置の状態で撮影者側から見たときの、上下、左右、前後方向を、明細書中においても上下、左右、前後という。前後方向は光軸ＯＡ方向と一致する。
ここで、横位置とは、
・カメラボディ３が備える矩形状の撮像素子４（図中点線で示す）の長辺が水平方向に延びるとき、
・カメラボディ３が備える持ち手部５（横位置用持ち手部５ａ）が撮影者から見て撮像素子４の右横方向にあるとき、
・カメラボディ３を操作する撮影者が撮影動作を操作するレリーズボタン７ａが撮影者から見て撮像素子４の右上方向にあるとき、
・カメラボディ３が備えるファインダ６やフラッシュ発光部８が撮像素子４の上方向にあるとき、
・カメラボディ３が備える三脚穴（図示せず）が撮像素子４の下方向にあるとき、
の少なくとも一つを満たしたときである。
また、縦位置とは、カメラ１を、横位置の状態から光軸ＯＡの周りに撮影者側から見て反時計回りに９０度回転させた状態であり、横位置用持ち手部５ａが上側にある。
【００１１】
（カメラボディ３）
カメラボディ３は、撮像素子４に入射した被写体光を、画像処理して図示しない記録部に記録するいわゆるデジタル一眼レフカメラである。ただし、カメラボディは、デジタル一眼レフカメラに限定されるものではない。ミラーレスカメラでもよいし、コンパクトデジタルカメラでもよい。また、二眼のカメラであってもよい。スマートフォンやタブレットに内蔵されたカメラでもよい。さらに、デジタルカメラに限定されず、フィルムカメラであってもよい。
【００１２】
カメラボディ３には、横位置の状態で使用者がカメラ１を安定して握り易いようにカメラボディ３の右側前方に突出した横位置用持ち手部５ａが設けられている。また、カメラボディ３の下側には、縦位置撮影時に使用者がカメラ１を安定して握り易いように前方に突出した縦位置用持ち手部５ｂが設けられている。なお、縦位置用持ち手部５ｂは、カメラボディ３に対して着脱可能であってもよい。
【００１３】
横位置用持ち手部５の上側と下側には、それぞれレリーズボタン７ａ、７ｂが設けられている。レリーズボタン７ａ、７ｂは、半押しされるとオートフォーカス機能を作動させ、全押しされると予め設定されたシャッタ速度で被写体像の撮像を行わせる。
上側に設けられているレリーズボタン７ａは、カメラボディ３が横位置のときに用いられる横位置レリーズボタン７ａである。下側に設けられているレリーズボタン７ｂは、カメラボディ３が縦位置のときに用いられる縦位置レリーズボタン７ｂである。
【００１４】
カメラボディ３の後面における撮像素子４よりも上側には、ファインダ６が設けられている。ファインダ６は光学ファインダ方式に限らず、電子ビューファインダ方式でもよく、被写体や構図の確認、フォーカス位置の確認、各種の設定等を確認できる。
なお、カメラボディ３の下面には三脚穴（図示せず）が設けられている。またカメラボディ３の前側中央には、ボディマウントＢＭが設けられている。
【００１５】
（レンズ鏡筒２）
レンズ鏡筒２は、後側にレンズマウントＬＭが設けられ、カメラボディ３のボディマウントＢＭと係合することで、カメラボディ３に着脱可能に装着される。
【００１６】
レンズ鏡筒２は、内部に複数のレンズ群からなる撮影光学系が配置されている。図１においては、最前列のレンズＬのみ図示する。
レンズ鏡筒２の外側には、後端から光軸ＯＡに沿った前側に向って、操作部２１と、収容部２２と、ストラップ装着部２３とが設けられている。ストラップ装着部２３よりもさらに前方には、フォーカスリング２４及びズームリング２５が配置されている。
【００１７】
ストラップ装着部２３は、レンズ鏡筒２の外装筒２６ｂの左右の側に取り付けられ、左右のストラップ装着部２３にはレンズ用ストラップ２７の装着が可能である。
【００１８】
（収容部２２）
収容部２２は、退避位置のときの、後述のテレコンバータレンズ３０を含む可動部３００を覆う、外装筒２６ａから凸状に突出した部分である。
【００１９】
図２は、レンズ鏡筒２の後部斜視図で、図１の状態からレンズ鏡筒２の外周を覆う外装筒２６ａと２６ｂを取り除いたレンズ鏡筒２の内部構造を説明する図である。図３は図２と異なる角度から見た図である。図２、図３において、（ａ）は、可動部３００（テレコンバータレンズ３０）が装着位置にある状態、（ｂ）は可動部３００（テレコンバータレンズ３０）が退避位置にある状態を示す。図４（ａ），（ｂ），（ｃ）は、可動部３００（テレコンバータレンズ３０）の装着位置と退避位置との間の移動状態を説明する図である。外装筒２６aの内径側には、可動部３００を移動可能に支持する内筒２９が配置されている。
【００２０】
（可動部３００）
可動部３００は、テレコンバータレンズ３０と、テレコンバータレンズ３０の外周を覆う枠体３１とを備える。
【００２１】
（テレコンバータレンズ３０）
テレコンバータレンズ３０は、焦点距離を延長するレンズ群である。装着位置とは、テレコンバータレンズ３０の中心（光軸）が、他の撮影光学系の光軸ＯＡ上に配置されたときのテレコンバータレンズ３０の位置で、合成焦点距離が大きくなり、被写体をさらに拡大した写真を撮影可能となる。退避位置とは、他の撮影光学系の光路を妨げないように撮影光学系の光路から外れたテレコンバータレンズ３０の位置である。
【００２２】
（枠体３１）
枠体３１は、テレコンバータレンズ３０の外周を囲む円環枠３２と、円環枠３２より外側に突出しているアーム部３３と、同様に円環枠３２より外側に突出しているローラ保持部３４とを有している。
【００２３】
（アーム部３３）
アーム部３３は、円環枠３２から径方向外側に延びる第１部分３３ａと、その第１部分３３ａから、さらに外側に、径方向に対して傾いて延びる第２部分３３ｂとを有する。アーム部３３における第１部分３３ａと第２部分３３ｂとの形状や配置は適宜変更可能である。本実施形態では、第１部分３３ａと第２部分３３ｂとが、可動部３００が退避位置にある際にレンズ鏡筒２の外周面に沿って配置されて、レンズ鏡筒２の大径化を防止するので好ましい。
第２部分３３ｂの先端は、後述するギア部５０のテレコン回転ギア５４の回転軸Ａ４に取り付けられている。テレコン回転ギア５４の回転に伴って、第２部分３３ｂおよび第1部分３３ａが回転（揺動）すると、可動部３００は回転軸Ａ４を中心として回転（揺動）する。
なお、実施形態において、枠体３１の重量はテレコンバータレンズ３０の重量より軽いため、図４において可動部３００の重心は、テレコンバータレンズ３０の中心と略一致するように図示している。また、テレコンバータレンズ３０および円環枠３２はテレコンバータレンズ３０の光軸を軸中心とする円筒部材であるため、光軸方向と直交する面内における可動部３００の重心はテレコンバータレンズ３０の中心と略一致する。
【００２４】
（バネ部材３６）
アーム部３３の第１部分３３ａにおける、円環枠３２に近い箇所に、第１取付部３３ｃが設けられている。また、内筒２９に固定された固定部２９ａには、第２取付部３３ｄが設けられている。第１取付部３３ｃと第２取付部３３ｄとの間には、バネ部材３６が取り付けられている。
なお、本実施形態ではバネ部材３６を取り付けたが、これに限らず、第１取付部３３ｃと第２取付部３３ｄとを互いに引き合うように付勢しかつ変形可能なものであれば、ゴム等の他の弾性部材であってもよい。
そして、上述のようにアーム部３３がテレコン回転ギア５４の回転軸Ａ４を中心として回転すると、バネ部材３６は、第２取付部３３ｄに取り付けられた一端を中心として、第１取付部３３ｃに固定された他端が回転する。なお、バネ部材３６は、アーム部３３が回転できるように、一端および他端の少なくとも一方が回転可能であればよい。
【００２５】
（ローラ保持部３４）
ローラ保持部３４は、枠体３１の円環枠３２における、アーム部３３とは異なる位置より外側に突出している。ローラ保持部３４の先端には、弾性部材でできた円筒部３５が、光軸ＯＡ方向に延びる軸に対して回転可能に取り付けられている。なお、円筒部３５は、弾性部材に限らず、他の柔軟性部材でもよい。また、円筒部３５は弾性部材でなく、次に述べる当接壁部４０側が弾性部材や柔軟性部材であってもよい。
【００２６】
（当接壁部４０（第１制限部））
可動部３００（テレコンバータレンズ３０）が装着位置のとき、上述のバネ部材３６によるバネ力と後述する可動部３００に加わる重力とによって、可動部３００（テレコンバータレンズ３０）には、反時計回り（退避位置へ向かう方向と逆方向への移動、図中矢印Ｒの左側への移動）方向の力が加わっている。
このため、可動部３００（テレコンバータレンズ３０）の装着位置を超えた、反時計回りの移動を制限するために、内筒２９に固定された当接壁部４０（第１制限部）が設けられている。当接壁部４０は、可動部３００（テレコンバータレンズ３０）が装着位置に到達すると円筒部３５と当接し、可動部３００（テレコンバータレンズ３０）の、装着位置以上の反時計回りの回転を防止する。
【００２７】
（当接部材４１（第２制限部））
可動部３００（テレコンバータレンズ３０）が退避位置のとき、上述のバネ部材３６によるバネ力と後述する可動部３００に加わる重力とによって、可動部３００（テレコンバータレンズ３０）には、時計回り（装着位置へ向かう方向と逆方向への移動、図中矢印Ｒの右側への移動）方向の力が加わっている。
このため、可動部３００（テレコンバータレンズ３０）の退避位置を超えた、時計回りの移動を制限するために、内筒２９に固定された当接部材４１（第２制限部）が設けられている。当接部材４１は、Ｌ字型の金具で、可動部３００（テレコンバータレンズ３０）が退避位置に到達すると円筒部３５と当接し、可動部３００（テレコンバータレンズ３０）の退避位置以上の時計回りの回転を防止する。
【００２８】
なお、第１制限部は内筒２９に固定された当接壁部４０とし、第２制限部はＬ字型の金具である当接部材４１としたが、制限部としての材質や形状はこの限りではない。また、第１制限部および第２制限部を別部材と兼用しても良い。また、本実施形態では当接部材４１が第１制限部および第２制限部に当接することとしたが、２つの当接部材を設けて第１制限部と第２制限部とにそれぞれ当接させることとしてもよい。
【００２９】
ローラ保持部３４が設けられる個所は、バネ部材３６により、当接壁部４０及び当接部材４１に円筒部３５が押し付けられる力が小さくすむように、回転軸Ａ４からの距離が大きいほうが好ましい。
【００３０】
図４（ａ）の可動部３００（テレコンバータレンズ３０）が装着位置の状態で、可動部３００の中心は、レンズ鏡筒２の光軸ＯＡ上に位置する。ここで、本実施形態における可動部３００の中心は、円環枠３２の中心軸およびテレコンバータレンズ３０の光軸と略一致するが、可動部３００に含まれる部材によってはこの限りではない。本実施形態では可動部３００のテレコンバータレンズ３０が含まれるので、装着位置において可動部３００の中心がレンズ鏡筒２に含まれる他のレンズの光軸ＯＡと略一致するのが光学性能上好ましい。可動部３００に含まれる部材によっては、装着位置において可動部３００の中心が光軸ＯＡ上に位置しなくてもよい。
また、本実施形態における可動部３００の重心は、テレコンバータレンズ３０の重心と略一致し、円環枠３２とテレコンバータレンズ３０とを合わせた部材の重心とも略一致するが、この限りではない。
【００３１】
さらに、図４（ｃ）の可動部３００（テレコンバータレンズ３０）が退避位置の状態で、レンズ鏡筒２内の光線を遮らない位置にあればよく、収容部２２を拡大する必要のない位置であることが好ましい。すなわち、可動部３００（テレコンバータレンズ３０）が退避位置の状態にある際の位置精度は、可動部３００（テレコンバータレンズ３０）が装着位置の状態にある際の位置精度より低くてもよい。また、テレコンバータレンズ３０が退避位置のときに、枠体３１の外周上における光軸ＯＡ側の半円側にあることが好ましい。
【００３２】
円筒部３５はローラ保持部３４に対して回転可能である。したがって、円筒部３５が当接壁部４０や当接部材４１と当接する際、常時同じ箇所が当接することがなく、円筒部３５の回転によって当接箇所が移動する。したがって、摩耗が一部に集中せず、円筒部３５の耐久性がよい。
また、円筒部３５は弾性部材であるので、当接壁部４０や当接部材４１との当接時に、衝突音が発生せず、静音性に優れる。本実施形態では円筒部３５を弾性部材としたが、衝突音を減少させることができれば適宜変更可能である。弾性部材は、柔軟性部材、衝撃吸収部材、音吸収部材のいずれかでもよい。また、弾性部材は、当接壁部４０（第１制限部）、当接部材４１（第２制限部）および制限部に当接する部材（本実施形態では円筒部３５）の少なくとも一つに設ければよい。
【００３３】
（ギア部５０）
図５は、ギア部５０を示す図であり、図２、図３に示すギア部カバー５６を取り外した状態である。ギア部５０は、操作部２１が操作されたときに、可動部３００へ駆動力を伝達するもので、操作部連結ギア５１と、中間ギア５２と、ブラシ回転ギア５３と、テレコン回転ギア５４と、ダンパーギア５５とを備える。
これらのギアは光軸ＯＡを中心とした周方向に沿って列状に配置されているが、これに限らず、駆動力が伝達できれば、光軸ＯＡを中心とした周方向に沿って列状でなくてもよい。
【００３４】
操作部連結ギア５１の回転軸Ａ１には、後述する操作部２１の回転部２１ａの一端が取り付けられている。ブラシ回転ギア５３の回転軸Ａ３には、後述するブラシ部６１が取り付けられている。テレコン回転ギア５４の回転軸Ａ４には、上述のようにアーム部３３の第２部分３３ｂの先端部が取り付けられている。ダンパーギア５５は、例えば粘性油によって回転速度が制限されているギアであり、テレコン回転ギア５４の回転速度を減速する。
【００３５】
（操作部２１）
図１，２，３に戻り、操作部２１は、収容部２２の後側に取り付けられている。操作部２１はＬ字型で、光軸ＯＡに対して直交する方向に延びる回転部２１ａと、光軸ＯＡ方向に延びる延在部２１ｂとを備える。
回転部２１ａの一端は、上述のギア部５０の操作部連結ギア５１の回転軸Ａ１に取り付けられ、回転軸Ａ１を中心に回転（揺動）可能である。
延在部２１ｂは、回転部２１ａの他端側から、外装筒２６ａの外側を光軸ＯＡ方向前側に延びている。外装筒２６ａには、周方向の所定範囲に開口したスリットが設けられ、延在部２１ｂはそのスリットを通って外装筒２６ａの外側に延びている。
【００３６】
撮影者が、操作部２１の延在部２１ｂを、外装筒２６ａの外側から、スリットに沿って外装筒２６ａの周方向に動かすと、回転部２１ａは回転軸Ａ１を中心に回転する。
そうすると、操作部連結ギア５１が回転し、その回転は中間ギア５２、ブラシ回転ギア５３を介して、歯数の多いテレコン回転ギア５４を回転する。テレコン回転ギア５４が回転すると、アーム部３３も回転する。アーム部３３の回転によって、可動部３００（テレコンバータレンズ３０）は装着位置と、退避位置との間を移動する。このとき、可動部３００の中心は、図４の矢印Ｒの方向に回転する。
【００３７】
このように操作部２１は、操作部連結ギア５１、中間ギア５２、ブラシ回転ギア５３を介して、歯数の多いテレコン回転ギア５４に連結されている。したがって、操作部２１を駆動する力が小さくても、これらのギア部を介することによって、駆動に大きな力が必要な可動部３００（テレコンバータレンズ３０）を回転させることができる。
【００３８】
装着位置のときの延在部２１ｂと、退避位置のときの延在部２１ｂとの間には、ストッパ２８が設けられている。ストッパ２８は外装筒２６ａに対してスライド移動可能で、光軸ＯＡ方向前側にスライドすると、延在部２１ｂが装着位置と退避位置との間で移動可能となり、光軸ＯＡ方向後ろ側にスライドすると、延在部２１ｂの装着位置と退避位置との間での移動が防止される。
【００３９】
（エンコーダ）
図６は、可動部３００（テレコンバータレンズ３０）の装着状態を検知するエンコーダ（信号発生部）を説明する図である。エンコーダはＦＰＣ（フレキシブルプリント基板）６０と、ブラシ部６１とを備える。
ＦＰＣ６０は、ギア部５０を収納するギア部カバー５６の外面に取り付けられている。ブラシ部６１は、ブラシ回転ギア５３の回転軸Ａ３に取り付けられ、回転軸Ａ３とともに回転する。
【００４０】
図６（ｃ）に示す可動部３００（テレコンバータレンズ３０）が退避位置にあるとき、ブラシ部６１は、ＦＰＣ６０の可動部着脱信号用の配線と非接触である。
図６（ａ）に示す可動部３００（テレコンバータレンズ３０）が装着位置にあるとき、ブラシ部６１は、ＦＰＣ６０の可動部着脱信号用の配線と接触している。
【００４１】
ブラシ部６１における、ＦＰＣ６０の可動部着脱信号用の配線との接触状態が切り替わるのは図６（ｂ）の位置である。
すなわち、可動部３００（テレコンバータレンズ３０）が装着位置と退避位置との間の移動中における、装着位置又は退避位置への到達前であり、可動部３００の中心の移動方向が上側から下側に切り替わる際に、ＦＰＣ６０の可動部着脱信号用の配線とブラシ部６１との接触状態が切り替わる。そして、ＦＰＣ６０を介して装着状態の変化を示す信号がレンズ鏡筒２及びカメラボディ３内に設けられた制御部（図示せず）に送られる。
【００４２】
レンズ鏡筒２またはカメラボディ３内の少なくとも一方に設けられた制御部では、オートフォーカス時のレンズ位置、シャッタスピード、絞り、露出を演算する処理が行われる。これらの演算時において、可動部３００（テレコンバータレンズ３０）が装着位置にある場合と退避位置にある場合とで、テレコンバータ機能の有無が異なるので、異なる演算が行われる。
【００４３】
これに対して、例えば可動部３００（テレコンバータレンズ３０）が装着位置または退避位置に到達したときに、装着信号が制御部に送られる構造であると、撮影のための演算に時間がかかりテレコンバータ機能の有無を切り替えてから撮影可能になるまでにタイムラグが生じてしまう。
しかし、本実施形態によると、可動部３００（テレコンバータレンズ３０）が退避位置から移動を開始して装着位置に到達する前に、または、可動部３００（テレコンバータレンズ３０）が装着位置から移動を開始して退避位置に到達する前に、ＦＰＣ６０を介して装着状態の変化を示す信号が制御部に送られる。したがって、可動部３００（テレコンバータレンズ３０）の位置切替終了前のタイミングで演算処理を開始することができ、可動部３００（テレコンバータレンズ３０）が装着位置または退避位置に到達した際には演算処理が終了しており、すぐ撮影を開始することができる。
なお、本実施形態において接触状態が切り替わるタイミングは可動部３００の中心の移動方向が上側から下側に切り替わる際としたが、この限りではない。接触状態が切り替わるタイミングは、可動部３００（テレコンバータレンズ３０）が装着位置または退避位置に到達する前であればよく、制御部に送信するために要する時間や制御部での演算処理によって適宜変更可能である。
【００４４】
(横位置の場合）
図４に戻り、図中矢印Ｇは、カメラ１が横位置の場合に、可動部３００の中心に加わる重力方向を示す。
矢印Ｒは、可動部３００の中心の移動軌跡である。可動部３００（テレコンバータレンズ３０）が装着位置と退避位置との間を移動する際、可動部３００の中心の上下方向（鉛直方向）の位置は、矢印Ｒに示すように、一旦上側に移動し、図４（ｂ）に示す最高点を超えた後、下側に移動する。矢印Ｒは、回転軸Ａ４を中心とした円周方向に沿って伸びている。
すなわち、可動部３００の中心の移動軌跡は上下方向に、Ｕターン形状である。したがって、カメラ１が横位置において、可動部３００（テレコンバータレンズ３０）は、切り替え途中で止まることを防止して、可動部３００（テレコンバータレンズ３０）は装着位置か退避位置のいずれか一方に移動する。
【００４５】
図４（ｂ）に示す状態は、可動部３００の中心の上下方向の位置が最高の位置ある。この状態において、バネ部材３６の第１取付部３３ｃ、回転軸Ａ４と、第２取付部３３ｄとは一直線上に並び、バネ部材３６は退避位置から装着位置の間で最も延びた状態となる。
【００４６】
この状態から、テレコンバータレンズ３０が（ｂ）から（ａ）の装着位置側に移動すると、バネ部材３６は、回転軸Ａ４よりも内径側となる。そうすると、バネ部材３６には縮む方向に付勢力が加わっているので、バネ部材３６は可動部３００（テレコンバータレンズ３０）を装着位置に向けて付勢する。
すなわち、上述の重力に加えて、バネ部材３６のバネ力も、可動部３００（テレコンバータレンズ３０）を装着位置に向けて付勢する。
【００４７】
また、可動部３００（テレコンバータレンズ３０）が（ｂ）から（ｃ）の退避位置側に移動すると、バネ部材３６は、回転軸Ａ４よりも外径側となる。そうすると、バネ部材３６には縮む方向に付勢力が加わっているので、バネ部材３６は可動部３００（テレコンバータレンズ３０）を退避位置に向けて付勢する。
すなわち、上述の重力に加えて、バネ部材３６のバネ力も可動部３００（テレコンバータレンズ３０）を退避位置に向けて付勢する。
【００４８】
このように、横位置においては、可動部３００（テレコンバータレンズ３０）を装着位置にする場合も、退避位置にする場合も、可動部３００（テレコンバータレンズ３０）には、最も高い状態から、重力に従って、下方に落ちる方向に力が加わるとともに、バネ力によっても同じ方向に引っ張り力が加わる。ゆえに、撮影者が操作部２１を動かす力は、移動の後半においてほとんど不要であるため、操作が容易である。特に、可動部３００（テレコンバータレンズ３０）が重い場合の操作性が向上する。
【００４９】
さらに、図４（ａ）に示す装着位置及び図４（ｃ）に示す退避位置において、可動部３００（テレコンバータレンズ３０）にはバネ力と重力とが略同じ方向に加わる。したがって、可動部３００（テレコンバータレンズ３０）は装着位置又は退避位置から移動しにくくなり、より安定して保持される。
【００５０】
（縦位置の場合）
図７は、カメラ１が図４で示す横位置から９０度傾いた縦位置の場合に、可動部３００に加わる重力の方向を示す。
縦位置の場合であっても、可動部３００（テレコンバータレンズ３０）が（ｂ）から（ａ）の装着位置側に移動すると、バネ部材３６のバネ力によって可動部３００（テレコンバータレンズ３０）は装着位置に移動するように付勢される。
そして、重力によっても可動部３００の中心には、装着位置側に移動するように力が加わる。
したがって、カメラ１が縦位置の場合も、バネ力の最大値を超えた後、可動部３００（テレコンバータレンズ３０）は、装着位置側に移動する。
そして、装着位置において、可動部３００にはバネ力と重力とが略同じ方向に加わる。したがって、可動部３００（テレコンバータレンズ３０）が装着位置から移動しにくくなり、より安定して装着位置に保持される。
【００５１】
縦位置の場合も、可動部３００（テレコンバータレンズ３０）が（ｂ）から（ｃ）の退避位置側に移動する際、バネ部材３６のバネ力によって可動部３００（テレコンバータレンズ３０）が退避位置に移動するように付勢される。
このとき、バネ部材３６のバネ力は重力には反する方向となるが、バネ力が重力よりも強い力になるように選択することでテレコンバータレンズ３０は退避位置に移動される。
したがって、カメラ１が縦位置の場合も、バネ力の最大値を超えた後、可動部３００（テレコンバータレンズ３０）、退避位置側に移動する。
そして、退避位置において、可動部３００（テレコンバータレンズ３０）に加わるバネ力と重力とは逆側になるので、装着位置に比べて安定性は悪いが、可動部３００（テレコンバータレンズ３０）が退避位置の場合、撮影に影響しないので、悪影響は少ない。
【００５２】
また、実施形態によると、操作部２１の少なくとも一部とギア部５０の少なくとも一部と、退避状態のテレコンバータレンズ３０の少なくとも一部とが光軸ＯＡに沿って、同一直線上に配置されている。
そして、退避状態の可動部３００（テレコンバータレンズ３０）を収納する収容部２２の後側に、外装筒２６ａの外側を延びる操作部２１の延在部２１ｂが配置されている。すなわち、収容部２２は、操作部２１より被写体側に配置されている。
そして、延在部２１ｂは、収容部２２よりも光軸ＯＡの径方向内側に位置している。したがって、レンズ鏡筒２に、外側から何かが接触した場合であっても、収容部２２が延在部２１ｂよりも先に接触するので、操作部２１が誤作動する可能性が小さい。
【００５３】
前述したように、収容部２２の前側のストラップ装着部２３にレンズ用ストラップ２７が装着されているが、収容部２２が設けられているので、レンズ用ストラップ２７が誤って延在部２１ｂに引っ掛かって、操作部２１を誤作動させることがない。
【００５４】
本実施形態によると、操作部２１及び収容部２２は、レンズ鏡筒２の右側に設けられている。すなわち、操作部２１は、光軸ＯＡより横位置用持ち手部５ａに近い位置に配置されている。
図８は、カメラ１の操作状態を示す図である。撮影者は、カメラ１を横位置に構える際、一般的に右手ＲＨで横位置用持ち手部５ａを把持する。そして、人差し指の先を横位置レリーズボタン７ａ上に置く。このとき、左手ＬＨでレンズ鏡筒２の先の部分を支えつつ、フォーカスリング２４やズームリング２５の操作を行う。
実施形態によると、操作部２１は、横位置用持ち手部５ａを把持している右手ＲＨ側に配置されている。
さらに、操作部２１は、レンズ鏡筒２がカメラボディ３に装着されている際に、光軸ＯＡより、横位置撮影の際に撮影者が保持するための横位置用持ち手部５ａに近い位置に配置される。すなわち、右手ＲＨで横位置用持ち手部５ａを把持した状態で、中指や薬指が届く範囲に配置されている。
したがって、撮影者は撮影時において、テレコンバータレンズ３０の機能の有無を、ファインダ６を覗いてレリーズボタン７ａを押さえながら切り替えることができる。すなわち、通常の撮影状態から姿勢を変えることなく、テレコンバータレンズ３０の機能の有無を切り替えることができるので、操作性がよい。
【００５５】
特にレンズ鏡筒２が重い場合、左手ＬＨは、レンズ鏡筒２の先端を支えつつ、フォーカスリング２４やズームリング２５を操作している場合が多い。仮に、操作部２１が左手ＬＨ側に配置されていたとすると、レンズ鏡筒２から左手ＬＨを離して、又は支持位置を操作部２１位置までずらして、操作部２１を操作することが必要となる。そうすると、左手ＬＨでのレンズ鏡筒２を保持ができず、又は安定しないので、操作性が悪い。
【００５６】
（変形形態）
以上、好適な実施形態について説明したが、本発明は上記実施形態によって限定されることはない。例えば以下のような変形も可能である。
（１）本実施形態では、テレコンバータレンズ３０の着脱をＬ字レバー状の操作部２１により行ったが、例えば押しボタンのようなものでもよい。
（２）また、実施形態では、操作部２１と可動部３００（テレコンバータレンズ３０）との間の動力伝達にギア部５０を用いたが、ギア部５０に限らず、切り替えの伝達の途中でモータを配置してもよい。
（３）実施形態では可動部としてテレコンバータレンズ３０を含む部材について説明したが、これに限らず、可動部は、例えば、レンズ鏡筒の鏡筒長が縮小する際に移動する撮影光学系の一部のレンズを含む部材であってもよく、二焦点式のレンズにおける焦点距離の切り替えに用いるレンズを含む部材であってもよく、さらには可動部にレンズが含まれなくてもよい。
（４）実施形態では、切り替え検出はエンコーダとしてのＦＰＣ６０とブラシ部６１シとで行ったが、これに限らず、例えば一方にボタンが設けられ、他方にはそこに当接すると切り替えを検出するような他の構造でもよい。また、実施形態でブラシは操作部２１の根本に、エンコーダはギア部の側面にあるが、この限りでない。
（５）実施形態で操作部２１は、手動で駆動する構造であったが、これに限らず、スイッチを入れると電動で移動するような構造であってもよい。
【符号の説明】
【００５７】
Ａ１：回転軸、Ａ３：回転軸、Ａ４：回転軸、ＢＭ：ボディマウント、Ｌ：レンズ、ＬＭ：レンズマウント、ＯＡ：光軸、１：カメラ、２：レンズ鏡筒、３：カメラボディ、４：撮像素子、５ａ：横位置用持ち手部、５ｂ：縦位置用持ち手部、６：ファインダ、７：レリーズボタン、７ａ：横位置レリーズボタン、７ｂ：縦位置レリーズボタン、２１：操作部、２１ａ：回転部、２１ｂ：延在部、２２：収容部、２３：ストラップ装着部、２４：フォーカスリング、２５：ズームリング、２６ａ，２６ｂ：外装筒、２７：ストラップ、２８：ストッパ、２９：内筒、２９ａ:固定部、３０：テレコンバータレンズ、３１：枠体、３２：円環枠、３３：アーム部、３３ａ：第１部分、３３ｂ：第２部分、３３ｃ：第１取付部、３３ｄ：第２取付部、３４：ローラ保持部、３５：円筒部、３６：バネ部材、４０：当接壁部、４１：当接部材、５０：ギア部、５１：操作部連結ギア、５２：第２ギア、５３：第３ギア、５４：テレコン回転ギア、５５：ダンパーギア、５６：ギア部カバー、６１：ブラシ部、３００：可動部
【図１】
2019131186.tif 000003
【図２】
2019131186.tif 000004
【図３】
2019131186.tif 000005
【図４】
2019131186.tif 000006
【図５】
2019131186.tif 000007
【図６】
2019131186.tif 000008
【図７】
2019131186.tif 000009
【図８】
2019131186.tif 000010
【国際調査報告】
2019131186.tif 000011
2019131186.tif 000012
2019131186.tif 000013
2019131186.tif 000014
2019131186.tif 000015
2019131186.tif 000016
2019131186.tif 000017